(57)【要約】【課題】器具本体の鍔部の出代を小さくすることで外観上コンパクトな照明器具を提供する。【解決手段】照明器具１は、造営材に設けた埋込孔を通して造営材に埋め込まれた状態で、造営材の下面に当接する鍔部２２が側面に設けられた器具本体２と、器具本体２を造営材に取り付けるための取付ばね４と、取付ばね４を器具本体２に取り付けるための取付金具３とを備える。取付ばね４は、器具本体２の鍔部２２の上面に載置される載置部４２と、器具本体２の側面と対向する載置部４２の端部から上側に突出し、上側に行くほど器具本体２の側面から離れる向きに傾斜するばね部４１とを有する。そして、取付金具３は、器具本体２の鍔部２２との間で載置部４２を挟み込むことで取付ばね４を器具本体２に取り付ける。【選択図】図１
2014235984.tif 000002
【特許請求の範囲】
【請求項１】
造営材に設けた埋込孔を通して前記造営材に埋め込まれた状態で、前記造営材の下面に当接する鍔部が側面に設けられた器具本体と、
前記器具本体を前記造営材に取り付けるための取付ばねと、
前記取付ばねを前記器具本体に取り付けるための取付金具とを備え、
前記取付ばねは、前記鍔部の上面に載置される載置部と、前記器具本体の側面と対向する前記載置部の端部から上側に突出し、上側に行くほど前記器具本体の側面から離れる向きに傾斜するばね部とを有し、
前記取付金具は、前記鍔部との間で前記載置部を挟み込むことで前記取付ばねを前記器具本体に取り付けることを特徴とする照明器具。
【請求項２】
前記取付金具は、前記器具本体の側面に沿って上下方向に配置される本体部と、前記本体部の下端側に設けられ前記鍔部との間で前記載置部を挟み込むことで前記取付ばねを保持する保持部と、前記本体部の上端側に設けられ前記器具本体の底面に取り付けられる取付部とを有し、前記本体部には、前記ばね部が収まる開口寸法に設定された開口部が設けられ、
前記取付ばねは、前記器具本体を前記造営材に取り付けた状態において少なくとも前記ばね部の一部が前記開口部に収まっていることを特徴とする請求項１記載の照明器具。
【発明の詳細な説明】
【技術分野】
【０００１】
本発明は、照明器具に関するものである。
【背景技術】
【０００２】
従来より、天井に埋込配設される照明器具が提供されている（例えば特許文献１参照）。この照明器具は、下面が開口する円筒状に形成され開口端縁に鍔部を有する器具本体と、器具本体の内部に収納されるＬＥＤブロックと、器具本体を天井に取り付ける際に用いられる複数の取付ばねとを備える。各取付ばねは、器具本体の周方向において所定の間隔を空けた状態で器具本体の側面に取り付けられ、取付部位の下端側を斜め上向きに折り返すことで器具本体から離れる方向に延出する。
【０００３】
この照明器具では、各取付ばねを器具本体に近づける向きに弾性変形させた状態で天井に設けた埋込孔を通して器具本体を埋込配設し、各取付ばねを上記埋込孔の開口端縁に引っ掛けることで、器具本体が天井に取り付けられる。
【先行技術文献】
【特許文献】
【０００４】
【特許文献１】特開２０１１−６５７８０号公報
【発明の概要】
【発明が解決しようとする課題】
【０００５】
上述の特許文献１に示した照明器具では、各取付ばねの取付部位の下端側を斜め上向きに折り返す構造であるため、器具本体と埋込孔の間の隙間を大きくしなければならなかった。そのため、器具本体の鍔部の出代を大きくする必要があり、外観上コンパクトな照明器具にすることができなかった。
【０００６】
本発明は上記問題点に鑑みて為されたものであり、その目的とするところは、器具本体の鍔部の出代を小さくすることで外観上コンパクトな照明器具を提供することにある。
【課題を解決するための手段】
【０００７】
本発明の照明器具は、造営材に設けた埋込孔を通して造営材に埋め込まれた状態で、造営材の下面に当接する鍔部が側面に設けられた器具本体と、器具本体を造営材に取り付けるための取付ばねと、取付ばねを器具本体に取り付けるための取付金具とを備え、取付ばねは、鍔部の上面に載置される載置部と、器具本体の側面と対向する載置部の端部から上側に突出し、上側に行くほど器具本体の側面から離れる向きに傾斜するばね部とを有し、取付金具は、鍔部との間で載置部を挟み込むことで取付ばねを器具本体に取り付けることを特徴とする。
【０００８】
この照明器具において、取付金具は、器具本体の側面に沿って上下方向に配置される本体部と、本体部の下端側に設けられ鍔部との間で載置部を挟み込むことで取付ばねを保持する保持部と、本体部の上端側に設けられ器具本体の底面に取り付けられる取付部とを有し、本体部には、ばね部が収まる開口寸法に設定された開口部が設けられ、取付ばねは、器具本体を造営材に取り付けた状態において少なくともばね部の一部が開口部に収まっているのが好ましい。
【発明の効果】
【０００９】
本発明の構成によれば、器具本体を造営材に取り付けた状態では、器具本体と埋込孔の間に取付ばねのばね部を配置するスペースがあればよく、従来の照明器具に比べて器具本体と埋込孔の間の隙間を小さくすることができる。その結果、器具本体の鍔部の出代を小さくすることができ、外観上コンパクトな照明器具を提供することができる。
【図面の簡単な説明】
【００１０】
【図１】本実施形態の照明器具を示し、（ａ）は同上を上側から見た外観斜視図、（ｂ）は同上の一部拡大図である。
【図２】同上を下側から見た外観斜視図である。
【図３】（ａ）は同上の取付状態を示す一部拡大図、（ｂ）は従来の照明器具の取付状態を示す一部拡大図である。
【発明を実施するための形態】
【００１１】
以下に、照明器具の実施形態について図１〜図３を参照しながら説明する。なお、以下の説明では特に断りがない限り、図３（ａ）中の上下方向を上下方向と規定し、以下の説明を行う。
【００１２】
本実施形態の照明器具１は、図３（ａ）に示すように、天井材１００（造営材）に設けた埋込孔１００ａを通して天井材１００に埋込配設される天井埋込型の照明器具である。この照明器具１は、図１（ａ）及び図２に示すように、器具本体２と、取付金具３と、取付ばね４と、放熱ユニット５と、端子台７，８と、光源ユニット９とを備える。
【００１３】
器具本体２は、金属材料からなり、下面が開口する有底筒状に形成された本体部２１と、天井材１００に設けた埋込孔１００ａを通して本体部２１を天井材１００に埋め込んだ状態で、天井材１００の下面に当接する鍔部２２とを有する。この器具本体２の筒内には、例えばＬＥＤからなる光源を備えた光源ユニット９が収納される（図２参照）。
【００１４】
取付金具３は、上下方向に長い矩形板状に形成された本体部３１と、本体部３１の下端から本体部３１と直交する方向に延出する保持部３２と、本体部３１の上端から本体部３１と直交する方向で且つ保持部３２と反対方向に延出する取付部３３とを有する。
【００１５】
本体部３１は、本体部３１の上下方向における全長に亘って形成された矩形の開口部３１１を有し、開口部３１１の幅方向における開口寸法は取付ばね４のばね部４１が収まる寸法、すなわちばね部４１の幅寸法と同寸法に設定されている。この取付金具３は、取付部３３に設けた孔（図示せず）に通した取付ねじ３４によって器具本体２に取り付けられる（図１（ａ）参照）。
【００１６】
取付ばね４は、弾性を有する金属材料からなり、器具本体２の鍔部２２に載置される載置部４２と、器具本体２の本体部２１の側面と対向する載置部４２の端部から上側に突出し、上側に行くほど本体部２１の側面から離れる向きに傾斜するばね部４１とを有する。この取付ばね４は、図１（ｂ）に示すように、器具本体２の鍔部２２と取付金具３の保持部３２とで載置部４２を挟み込むことで器具本体２に取り付けられる。
【００１７】
放熱ユニット５は、図１（ａ）及び図２に示すように、矩形板状に形成され所定の間隔を空けて横並びに配置された複数の放熱フィン５１を有し、各放熱フィン５１が器具本体２の底面に接触した状態で器具本体２に取り付けられている。この放熱ユニット５は、器具本体２を介して光源ユニット９から伝わる熱を外部へと放熱する。
【００１８】
放熱ユニット５の上端部には、矩形板状に形成された天板６がねじ固定されており、この天板６の下面には、速結端子を備えた端子台７，８が取り付けられている（図２参照）。端子台７は、外部電源（図示せず）から出力される電力を光源ユニット９に供給する給電用の電力線を中継するために設けられ、端子台８は、例えば調光信号などを伝送する信号線を中継するために設けられている。
【００１９】
図３（ｂ）は従来の照明器具の取付状態を示す一部拡大図である。従来の照明器具の取付ばね４は、器具本体２の本体部２１の側面に取り付けられる取付部４３と、取付部４３の下端部を斜め上向きに折り曲げることで本体部２１から離れる向きに延出するばね部４１とで形成されている。そのため、器具本体２を天井材１００に取り付けた状態では、器具本体２と埋込孔１００ａの間にばね部４１及び取付部４３を配置するスペースが必要であり、器具本体２と埋込孔１００ａの間の隙間Ｃ２が大きくなってしまう。
【００２０】
これに対して、本実施形態の照明器具１の取付ばね４は、図３（ａ）に示すように、器具本体２の本体部２１の側面と対向する載置部４２の端部からばね部４１が上側に突出する構造となっている。そのため、器具本体２を天井材１００に取り付けた状態では、器具本体２と埋込孔１００ａの間にばね部４１を配置するスペースがあればよく、従来の照明器具に比べて器具本体２と埋込孔１００ａの間の隙間Ｃ１を小さくすることができる（Ｃ１＜Ｃ２）。
【００２１】
また、器具本体２と埋込孔１００ａの間の隙間Ｃ１を小さくすることで、鍔部２２の出代Ａ１を、従来の照明器具の鍔部２２の出代Ａ２よりも小さくすることができる（Ａ１＜Ａ２）。さらに、器具本体２と埋込孔１００ａの間の隙間Ｃ１を小さくすることで、従来の照明器具に比べて、器具本体２の開口Ｄ１を大きく取ることができるとともに（Ｄ１＞Ｄ２）、埋込孔１００ａの開口端縁とのかかり代Ｂ１を大きく取ることができる（Ｂ１＞Ｂ２）。
【００２２】
また、器具本体２を天井材１００に取り付けた状態では、図３（ａ）に示すように、取付ばね４のばね部４１の一部が取付金具３の本体部３１の開口部３１１に収まっている。
【００２３】
上述のように、器具本体２を天井材１００に取り付けた状態では、器具本体２と埋込孔１００ａの間に取付ばね４のばね部４１を配置するスペースがあればよく、従来の照明器具に比べて器具本体２と埋込孔１００ａの間の隙間Ｃ１を小さくすることができる。その結果、器具本体２の鍔部２２の出代を小さくすることができ、外観上コンパクトな照明器具１を提供することができる。
【００２４】
また、器具本体２を天井材１００に取り付けた状態では取付ばね４の一部が取付金具３の開口部３１１に収まっており、器具本体２と埋込孔１００ａの間の隙間Ｃ１をさらに小さくすることができる。さらに、器具本体２と埋込孔１００ａの間の隙間Ｃ１を小さくすることで器具本体２の開口Ｄ１を大きく取ることができ、これにより発光効率の向上を図ることができる。
【００２５】
また、従来の照明器具に比べて鍔部２２の出代Ａ１を小さくしても、隙間Ｃ１を小さくすることで埋込孔１００ａの開口端縁とのかかり代Ｂ１を大きく取ることができるので、埋込孔１００ａ周辺に生じたかけや割れの影響をカバーすることができる。
【００２６】
本実施形態の照明器具１は、器具本体２と、取付金具３と、取付ばね４とを備える。器具本体２は、天井材１００に設けた埋込孔１００ａを通して天井材１００に埋め込まれた状態で、天井材１００の下面に当接する鍔部２２が側面に設けられている。取付ばね４は、器具本体２を天井材１００に取り付ける。取付金具３は、取付ばね４を器具本体２に取り付ける。取付ばね４は、鍔部２２の上面に載置される載置部４２と、器具本体２の側面と対向する載置部４２の端部から上側に突出し、上側に行くほど器具本体２の側面から離れる向きに傾斜するばね部４１とを有する。取付金具３は、鍔部２２との間で載置部４２を挟み込むことで取付ばね４を器具本体２に取り付ける。
【００２７】
また、取付金具３は、本体部３１と、保持部３２と、取付部３３とを有する。本体部３１は、器具本体２の側面に沿って上下方向に配置される。保持部３２は、本体部３１の下端側に設けられ鍔部２２との間で載置部４２を挟み込むことで取付ばね４を保持する。取付部３３は、本体部３１の上端側に設けられ器具本体２の底面に取り付けられる。本体部３１には、ばね部４１が収まる開口寸法に設定された開口部３１１が設けられている。取付ばね４は、器具本体２を天井材１００に取り付けた状態において少なくともばね部４１の一部が開口部３１１に収まっているのが好ましい。
【符号の説明】
【００２８】
１  照明器具
２  器具本体
３  取付金具
４  取付ばね
２２  鍔部
４１  ばね部
４２  載置部
【図１】
2014235984.tif 000003
【図２】
2014235984.tif 000004
【図３】
2014235984.tif 000005